(57)【要約】      （修正有）【課題】本発明は、電子装置に適用される入力接続装置を提供する。【解決手段】電子装置は主電気回路基板とケース本体とを備え、ケース本体は第１壁面を有する。入力接続装置は、絶縁筐体、導電接続ユニット、電気回路基板、スイッチ、少なくとも１つの第１電力線、少なくとも１つの第２電力線を備える。絶縁筐体は、第１壁面に設置され、且つ本体を備え、本体は中空チャネルを備える。導電接続ユニットは、中空チャネルに設置され、且つ絶縁筐体に係合される。電気回路基板は、導電接続ユニットに直接接続される。スイッチは入力部と出力部とを備える。第１電力線の一端は電気回路基板に接続され、第１電力線の他端はスイッチの入力部に接続される。第２電力線の一端は、スイッチの出力部に接続され、第２電力線の他端は主電気回路基板に接続される。【選択図】図１
2020184519.tif 000002
【特許請求の範囲】
【請求項１】
電子装置に提供する入力接続装置であって、
前記電子装置は、主電気回路基板とケース本体とを備え、前記ケース本体は、第１壁面を有し、
前記入力接続装置は、絶縁筐体と導電接続ユニットと電気回路基板とスイッチと少なくとも１つの第１電力線と少なくとも１つの第２電力線とを備え、
前記絶縁筐体は、前記第１壁面に設けられ、且つ本体を備え、前記本体は中空チャネルを備え、
前記導電接続ユニットは、前記中空チャネルに設けられ、且つ前記絶縁筐体に係合し、
前記電気回路基板は、前記導電接続ユニットに直接接続され、
前記スイッチは、入力部と出力部とを備え、
前記第１電力線の一端は、前記電気回路基板に接続され、前記第１電力線の他端は、前記スイッチの前記入力部に接続され、
前記第２電力線の一端は、前記スイッチの前記出力部に接続され、前記第２電力線の他端は、前記主電気回路基板に接続される、ことを特徴とする入力接続装置。
【請求項２】
前記中空チャネルは、前記本体の両端を貫通し、且つ第１チャネル領域と第２チャネル領域とを備え、前記第１チャネル領域の孔径は、前記第２チャネル領域の孔径よりも大きく、且つ前記第１チャネル領域を第１収容空間とし、
前記本体は、内側表面と外側表面と少なくとも１つの第１溝部と少なくとも１つの第１突起部と少なくとも１つの係合部とを備え、
前記第１溝部は、前記本体の前記内側表面に設けられ、且つ前記第２チャネル領域に位置され、
前記第１突起部は、前記本体の前記内側表面に設けられ、且つ前記第１溝部に隣接して前記第２チャネル領域に位置され、
前記係合部は、前記本体の前記外側表面に形成され、
前記絶縁筐体は、前記第１壁面の第１孔部を貫通して固定され、前記絶縁筐体の前記少なくとも１つの係合部は、前記絶縁筐体を前記第１壁面に固定し且つ前記絶縁筐体の一部が前記第１壁面の外側壁から露出するように、前記第１壁面の前記第１孔部の縁部に係合する、
ことを特徴とする請求項１に記載の入力接続装置。
【請求項３】
前記導電接続ユニットの少なくとも一部は、前記本体の前記中空チャネルの前記第２チャネル領域に設置され、前記導電接続ユニットは、第１端部と第２端部と少なくとも１つの第２溝部と少なくとも１つの第２突起部とを備え、
前記第２端部は、前記第１端部に対応して設けられ、
前記第２溝部は、前記導電接続ユニットの周縁部に形成され、且つ、前記本体の前記少なくとも１つの第１突起部に対応し、
前記第２突起部は、前記導電接続ユニットの前記周縁部に形成され、且つ、前記本体の前記少なくとも１つの第１溝部に対応し、
前記導電接続ユニットの前記第２溝部は、前記本体の前記第１突起部に係合し、前記導電接続ユニットの前記第２突起部は、前記導電接続ユニットを前記絶縁筐体に固定し且つ前記導電接続ユニットの前記第２端部が前記第１壁面の内側壁から露出するように、前記本体の前記第１溝部に係合し、前記導電接続ユニットは金属材料で構成される、
ことを特徴とする請求項２に記載の入力接続装置。
【請求項４】
少なくとも１つの締結部材をさらに備え、前記電気回路基板は、前記締結部材により、前記導電接続ユニットの第２端部に接続され、前記導電接続ユニットは第２収容空間を備え、前記第２収容空間は、前記導電接続ユニットの前記第２端部に形成され、前記締結部材は、第１端部と第２端部とを備え、前記締結部材の前記第１端部の一部は、前記電気回路基板の孔部に設置され、且つ前記締結部材の前記第１端部の他部は、前記導電接続ユニットの前記第２端部に係合することで、前記締結部材の前記第１端部は、前記第２収容空間に固定され、且つ、前記電気回路基板は前記締結部材により前記導電接続ユニットの前記第２端部に固定される、
ことを特徴とする請求項１に記載の入力接続装置。
【請求項５】
前記電気回路基板は、前記導電接続ユニットおよび前記絶縁筐体と垂直し、前記電気回路基板は、第１側と第２側とを有し、前記第２側は前記第１側に対向し、前記導電接続ユニットは、前記電気回路基板の前記第１側の接続パッドに接続され、前記第１電力線の前記一端は前記電気回路基板の前記第２側に接続される、ことを特徴とする請求項１に記載の入力接続装置。
【請求項６】
少なくとも１つの電子素子を更に備え、前記電子素子は前記電気回路基板に設けられ、且つ前記電気回路基板を介して前記導電接続ユニットに電気的に接続され、前記電子素子は電磁干渉抑制部品である、ことを特徴とする請求項１に記載の入力接続装置。
【請求項７】
前記スイッチは、第１端部と第２端部とを備え、前記第１端部と前記第２端部とが互いに接続され、前記スイッチの前記第１端部は、前記第１壁面の内側壁から露出し、前記スイッチの前記第２端部の一部は、前記第１壁面の第２孔部を貫通し、前記スイッチの前記第２端部の他部は、前記第１壁面の外側壁から露出し、且つセレクタとし、前記入力部および前記出力部は、前記第１端部に位置され、前記スイッチがオンまたはオフにすることで、前記導電接続ユニットの電力または信号情報を前記電気回路基板および前記第１電力線により、前記主電気回路基板に選択に伝送する、ことを特徴とする請求項１に記載の入力接続装置。
【請求項８】
第１接続素子を備え、前記第１接続素子は前記第２電力線の他端に接続され、前記第２電力線は前記第１接続素子により前記主電気回路基板に接続される、ことを特徴とする請求項１に記載の入力接続装置。
【請求項９】
少なくとも１つの電流センサーを備え、前記電流センサーは前記電気回路基板に設けられ、前記電気回路基板を流れる電流を検出する、ことを特徴とする請求項１に記載の入力接続装置。
【請求項１０】
前記導電接続ユニットの第２端部は、導電性接着剤により前記電気回路基板に接続され、または前記導電接続ユニットの第２端部が前記電気回路基板に熔接される、ことを特徴とする請求項１に記載の入力接続装置。
【請求項１１】
第２接続素子を備え、前記第２接続素子は前記第１電力線の前記一端に接続され、前記第１電力線は前記第２接続素子により前記電気回路基板に接続される、ことを特徴とする請求項１に記載の入力接続装置。
【請求項１２】
電子装置に適用する入力接続装置であって、前記電子装置は、主電気回路基板とケース本体とを備え、前記ケース本体は第１壁面を有し、
前記入力接続装置は、複数の絶縁筐体と複数の導電接続ユニットと少なくとも１つの電気回路基板とスイッチと複数の第１電力線と複数の第２電力線とを備え、
各前記絶縁筐体は、前記第１壁面に設けられ、且つ、各前記絶縁筐体は本体を備え、前記本体は中空チャネルを備え、
各前記導電接続ユニットは、対応の前記絶縁筐体に前記中空チャネルに設置され、且つ、対応の前記絶縁筐体に係合し、
前記少なくとも１つの電気回路基板は、前記複数の導電接続ユニットに直接接続され、
前記スイッチは、入力部と出力部とを備え、
各前記第１電力線の一端は、前記電気回路基板に接続され、各前記第１電力線の他端は、前記スイッチの前記入力部に接続され、
各前記第２電力線の一端は、前記スイッチの前記出力部に接続され、各前記第２電力線の他端は、前記主電気回路基板に接続される、ことを特徴とする入力接続装置。
【請求項１３】
前記少なくとも１つの電気回路基板は、２つの電気回路基板を備える、ことを特徴とする請求項１２に記載の入力接続装置。
【請求項１４】
複数の締結部材と複数の電子素子とを備え、各前記導電接続ユニットの第２端部は、対応の前記締結部材により、前記電気回路基板に接続され、前記電子素子は前記電気回路基板に設置され、且つ前記電気回路基板により、前記複数の導電接続ユニットに電気的に接続され、前記電子素子は電磁干渉抑制素子または電流センサーであり、前記スイッチは直流スイッチである、ことを特徴とする請求項１２に記載の入力接続装置。
【請求項１５】
各前記導電接続ユニットの第２端部は、導電性接着剤により前記電気回路基板に接続され、各前記導電接続ユニットの第２端部は前記電気回路基板に熔接される、ことを特徴とする請求項１２に記載の入力接続装置。
【発明の詳細な説明】
【技術分野】
【０００１】
本発明は、接続デバイスに関し、特に、電子装置に使用されている入力接続装置に関する。前記入力接続装置は、低コスト、体積の小型化ができ、電磁干渉を改善することもできる。
【背景技術】
【０００２】
現在、入力接続装置は、外部ソースから電子デバイスに電気エネルギーまたは信号情報を送信するために、さまざまな電子デバイスおよび機器で広く使用されている。科学技術の進歩に伴い、電子機器の設計は徐々に小型化、高集積化、低コスト化に移行しているが、入力接続装置は、構造設計と実用化の要求に満すことは困難であり、小型化と低コストの入力接続の開発がますます重要となっている。
【０００３】
通常、入力接続装置は、複数の電気コネクタ、複数の第１電力線、プリント回路基板、第２電力線、およびスイッチを備えている。各電気コネクタは、電子機器のケース本体の側壁に配置されている。各第１電力線の一端は対応する電気コネクタに接続され、各第１電力線の他端はケース本体内に配置されたプリント回路基板に接続される。第２電力線の一端はプリント回路基板に接続され、第２電力線の他端はスイッチに接続される。したがって、電気コネクタが外部ソースから出力される電力または信号情報を受け取ると、電気コネクタは、第１電力線、プリント回路基板、および第２電力線を介してスイッチに電力または信号情報を送信する。
【０００４】
しかしながら、電気コネクタの数が増加すると、それに応じて第１電力線の数も増加する必要があるため、入力接続装置のコストおよび体積も増加する。また、複数の第１電力線の数が多くなると、入力接続装置の組み立て方法が複雑かつ配線が困難になり、第１電力線と電気コネクタとの間の誤配線が発生しやすくなる。さらに、最初の電力線は入力接続装置に対して電磁干渉を生成し、電子デバイスの性能を低下させる場合がある。
【０００５】
したがって、前述の従来技術が直面する問題を解決するために、改良された入力接続装置を提供する必要がある。
【発明の概要】
【発明が解決しようとする課題】
【０００６】
本発明の目的は、入力接続装置を提供することであり、前記入力接続装置は電子装置に適用され、低コスト、小型化、且つ、電磁干渉を改善することができる。
【課題を解決するための手段】
【０００７】
上述した目的を達成するために、本発明の実施形態は、入力接続装置を提供している。前記入力接続装置は電子装置に適用され、前記電子装置は主電気回路基板とケース本体とを備え、前記ケース本体は第１壁面を有する。入力接続装置は、絶縁筐体、導電接続ユニット、電気回路基板、スイッチ、少なくとも１つの第１電力線、少なくとも１つの第２電力線を備える。絶縁筐体は、第１壁面に設置され、且つ絶縁筐体は本体を備え、本体は中空チャネルを備える。導電接続ユニットは、中空チャネルに設置され、且つ絶縁筐体に係合される。電気回路基板は、導電接続ユニットに直接接続される。スイッチは入力部と出力部とを備える。第１電力線の一端は電気回路基板に接続され、第１電力線の他端はスイッチの入力部に接続される。第２電力線の一端は、スイッチの出力部に接続され、第２電力線の他端は主電気回路基板に接続される。
【０００８】
上述した目的を達成するために、本発明のもう一つ実施形態は、入力接続装置を提供している。前記入力接続装置は電子装置に適用され、電子装置は主電気回路基板とケース本体とを備え、ケース本体は第１壁面を有する。入力接続装置は複数の絶縁筐体、複数の導電接続ユニット、少なくとも１つの電気回路基板、スイッチ、複数の第１電力線、複数の第２電力線を備える。各絶縁筐体は第１壁面に設置され、且つ各絶縁筐体は本体を備え、本体は中空チャネルを備える。各導電接続ユニットは、対応の絶縁筐体の中空チャネルに設置され、且つ対応の絶縁筐体に係合される。前記少なくとも１つの電気回路基板は、複数の導電接続ユニットに直接接続される。スイッチは入力部と出力部とを備える。各第１電力線の一端は電気回路基板に接続され、各第１電力線の他端はスイッチの入力部に接続される。各第２電力線の一端はスイッチの出力部に接続され、各第２電力線の他端は主電気回路基板に接続される。
【図面の簡単な説明】
【０００９】
【図１】本発明の第１実施形態における入力接続装置の構造概念図である。
【図２】図１の入力接続装置の絶縁筐体、導電接続ユニット、および締結部材を示す構造概念図である。
【図３】本発明の第２実施形態における入力接続装置の構造概念図である。
【図４】本発明の第３実施形態における入力接続装置の構造概念図である。
【図５】本発明の第４実施形態における入力接続装置の構造概念図である。
【図６】本発明の第５実施形態における入力接続装置の構造概念図である。
【発明を実施するための形態】
【００１０】
以下、本発明の特徴および利点を具体化する典型的な実施形態は詳細に説明する。なお、本発明は、異なる形態において様々な変更を加えることができ、いずれも本発明の請求の範囲から逸脱することではない。また、説明および図面は、本発明を説明するためのものであり、本発明をこれに限定するものではない。
【００１１】
図１は、本発明の第１実施形態における入力接続装置の構造概念図を示している。図２は、図１の入力接続装置の絶縁筐体、導電接続ユニット、および締結部材を示す構造概念図である。図１および図２に示すように、入力接続装置１は、直流電源などの外部ソースから電力または信号情報を受取るために用いられ、且つ、電子装置４の内部装置に電力または信号情報を送信するために、電子装置４に適用される。電子装置４は、入力接続装置１、主電気回路基板２、ケース本体３を備える。ケース本体３は、第１壁面３１と、第１壁面３１と接続されている第２壁面３２とを備えている。第１壁面３１は、外側壁３１１と内側壁３１２とを備える。主電気回路基板２は、ケース本体３内に設けられている。入力接続装置１は、ケース本体３に設けられ、且つ、主電気回路基板２に電気的に接続されている。入力接続装置１は、絶縁筐体１１と、導電接続ユニット１２と、電気回路基板１３と、締結部材１４と、少なくとも１つの電子素子１５と、少なくとも１つの第１電力線１６と、スイッチ１７と、第２電力線１８と、第１接続素子１９とを備える。
【００１２】
本実施形態では、絶縁筐体１１は、本体１１１を備え、且つ、本体１１１は、中空チャネル１１２を備えている。中空チャネル１１２は、本体１１１の両端に２つの開口部を形成するように、本体１１１の両端を貫通する。中空チャネル１１２は、第１チャネル領域１１３と第２チャネル領域１１４とを備える。本体１１１は、内側表面１１１ａと、外側表面１１１ｂと、少なくとも１つの第１溝部１１５と、少なくとも１つの第１突起部１１６と、少なくとも１つの係合部１１７とを備えている。第１チャネル領域１１３の孔径は、第２チャネル領域１１４の孔径よりも大きい。また、第１チャネル領域１１３は、相配電コネクタ（図示せず）を収容する第１収容空間である。当該少なくとも１つの第１溝部１１５は、本体１１１の内側表面１１１ａに形成され、且つ第２チャネル領域１１４に位置されている。当該少なくとも１つの第１突起部１１６は、本体１１１の内側表面１１１ａに形成され、且つ第１溝部１１５に隣接して第２チャネル領域１１４に位置されている。当該少なくとも１つの係合部１１７は、本体１１１の外側表面１１１ｂに形成されている。絶縁筐体１１は、ケース本体３の第１壁面３１の第１孔部３１３を挿入され、且つ、ケース本体３の第１壁面３１の第１孔部３１３にしっかり締結されている。絶縁筐体１１の少なくとも１つの係合部１１７は、第１壁面３１の第１孔部３１３の縁部に係合されることで、絶縁筐体１１が第１壁面３１に固定され、且つ絶縁筐体１１の一部は、第１壁面３１の外側壁３１１から露出する。
【００１３】
本実施形態では、導電接続ユニット１２の少なくとも一部は、絶縁筐体１１の本体１１１の中空チャネル１１２に配置され、導電接続ユニット１２の一部は、中空チャネル１１２の第２チャネル領域１１４に配置されても良いが、これに限定されない。導電接続ユニット１２は、第１端部１２１と、第２端部１２２と、少なくとも１つの第２溝部１２３と、少なくとも１つの第２突起部１２４と、第２収容空間１２５とを備える。少なくとも１つの第２溝部１２３は、導電接続ユニット１２の周縁部に形成され、且つ、本体１１１の少なくとも１つの第１突起部１１６に対応する。当該少なくとも１つの第２突起部１２４は、導電接続ユニット１２の周縁部に形成され、且つ、本体１１１の少なくとも１つの第１溝部１１５に対応する。導電接続ユニット１２の少なくとも一部が絶縁筐体１１の本体１１１の中空チャネル１１２に配置されると、導電接続ユニット１２の第２溝部１２３が本体１１１の第１突起部１１６に係合され、且つ、導電接続ユニット１２の第２突起部１２４が本体１１１の第１溝部１１５に係合される。これによって、導電接続ユニット１２が絶縁筐体１１に安定且つ強固に固定されることができる。導電接続ユニット１２の第１端部１２１と第２端部１２２とは互いに対向して設けられ、導電接続ユニット１２の第１端部１２１は、相配電コネクタの接続部（図示せず）に接続するか、または相配電コネクタより電力または信号情報を受信するために用いられている。ある実施形態では、導電接続ユニット１２の第１端部１２１は、メス型コネクタであり、相配電コネクタはオス型コネクタであり、当該メス型コネクタと当該オス型コネクタは互いに嵌合する。一方、導電接続ユニット１２の第１端部１２１はオス型コネクタであり、相配電コネクタはオス型コネクタであっても良い。換言すれば、当該コネクタ同士は互いに嵌合して接続されれば良い。導電接続ユニット１２の第２端部１２２は、第１壁面３１の内側壁３１２から露出され、導電接続ユニット１２は、導電接続ユニット１２の第２端部１２２より電力または信号情報を出力することができる。第２収容空間１２５は、導電接続ユニット１２の第２端部１２２に形成される。ある実施形態では、絶縁筐体１１と導電接続ユニット１２とは単一体として一体に形成され、導電接続ユニット１２は金属材料で構成される。
【００１４】
本実施形態では、電気回路基板１３は、導電接続ユニット１２の第２端部１２２に設けられ、且つ導電接続ユニット１２の第２端部１２２に直接接続されている。電気回路基板１３は、導電接続ユニット１２および絶縁筐体１１に垂直するように設けられるが、これに限定されない。また、電気回路基板１３は、第１側１３１と第２側１３２とを有し、第２側１３２は、第１側１３１に対向する。導電接続ユニット１２の第２端部１２２は、電気回路基板１３の第１側１３１の接続パッド（図示せず）に直接接続されている。本実施形態では、締結部材１４は金属材料で構成され、締結部材１４は、第１端部１４１と第２端部１４２とを備え、締結部材１４の第１端部１４１は、電気回路基板１３における孔部１３３を貫通し、且つ、導電接続ユニット１２の第２収容空間１２５にしっかり固定されることができる。すなわち、締結部材１４の第１端部１４１の一部は、電気回路基板１３の孔部１３３に配置され、且つ、締結部材１４の第１端部１４１の他の部分は、導電接続ユニット１２の第２端部１２２を係合する。これにより、締結部材１４の第１端部１４１の一部は、第２収容空間１２５内に固定されることができる。また、締結部材１４の第２端部１４２は、電気回路基板１３の第２側１３２に設置されるので、電気回路基板１３が締結部材１４により導電接続ユニット１２の第２端部１２２にしっかり固定されることができる。
【００１５】
ある実施形態では、導電接続ユニット１２が絶縁筐体１１の本体１１１の中空チャネル１１２に配置された後、導電接続ユニット１２の第２端部１２２が電気回路基板１３に接続される。他実施形態では、導電接続ユニット１２の第２端部１２２が電気回路基板１３に接続された後、導電接続ユニット１２が絶縁筐体１１の本体１１１の中空チャネル１１２に配置される。
【００１６】
ある実施形態では、締結部材１４の第１端部１４１の外側表面に、第１ねじ山が形成され、導電接続ユニット１２の第２端部１２２の内側表面に、第２ねじ山が形成され、すなわち、第２ねじ山が第２収容空間１２５の表面に形成されている。導電接続ユニット１２の第２ねじ山が締結部材１４の第１ねじ山に螺合することによって、締結部材１４が導電接続ユニット１２に固定されることができる。したがって、電気回路基板１３は、締結部材１４により、導電接続ユニット１２の第２端部１２２に固定されることができる。別の実施形態では、導電接続ユニット１２の第２収容空間１２５の形状は、締結部材１４の第１端部１４１の形状に適合されており、これによって、締結部材１４の第１端部１４１が導電接続ユニット１２の第２端部１２２に固定されることができる。
【００１７】
本実施形態では、当該少なくとも１つの電子素子１５は、電気回路基板１３の第１側１３１および第２側１３２の少なくとも一方に配置されている。なお、電子素子１５が電気回路基板１３に第２側１３２に配置されるのが好ましい。電子素子１５は、電気回路基板１３により、導電接続ユニット１２の第２端部１２２に接続され、電子素子１５は、コンデンサ（これに限定されない）などの電磁干渉（Ｅｌｅｃｔｒｏｍａｇｎｅｔｉｃ  Ｉｎｔｅｒｆｅｒｅｎｃｅ，  ＥＭＩ）制御部品であっても良い。電子素子１５は、導電接続ユニット１２の電磁干渉を抑制するように用いられている。
【００１８】
本実施形態では、第１電力線１６の一端は、電気回路基板１３の第２側１３２に接続され、第１電力線１６の他端は、スイッチ１７に接続されているので、導電接続ユニット１２は、電気回路基板１３および第１電力線１６を介して、スイッチ１７に接続されている。スイッチ１７は、第１端部１７１と、第２端部１７２と、入力部１７３と、出力部１７４とを備える。入力部１７３および出力部１７４は、第１端部１７１に位置され、スイッチ１７の第１端部１７１は、ケース本体３の第１壁面３１の内側壁３１２より露出している。入力部１７３は、電気回路基板１３に転送された電力または信号情報を受信するために、第１電力線１６の他端に接続されている。スイッチ１７の第２端部１７２の一部は、第１壁面３１の第２孔部３１４を貫通して、スイッチ１７の第１端部１７１と連結されている。スイッチ１７の第２端部１７２の他部は、ケース本体３の第１壁面３１の外側壁３１１より露出しており、ボタンまたはロータリースイッチなどのセレクタとして使用することができる。スイッチ１７は、オンまたはオフにして、電力または信号情報を電気回路基板１３により選択的に主電気回路基板２に伝送することができる。例えば、スイッチ１７の第２端部１７２が押されると、スイッチ１７がオンにして電力または信号情報を電気回路基板１３により主電気回路基板２に伝送することができ、スイッチ１７の第２端部１７２が押されないと、スイッチ１７がオフにして電力または信号情報を電気回路基板１３により主電気回路基板２に伝送されない。なお、スイッチ１７は直流スイッチであるが、これに限定されない。
【００１９】
本実施形態では、第２電力線１８の一端は、スイッチ１７の出力部１７４に接続され、第２電力線１８の他端は、主電気回路基板２に接続されているので、スイッチ１７に伝送される電力または信号情報は、主電気回路基板２に伝送される。本実施形態では、第１接続素子１９は、第２電力線１８の他端に接続されている。また、第１接続素子１９は、第１端部１９１と第２端部１９２とを備え、第１端部１９１と第２端部１９２とは互いに接続されている。第１接続素子１９の第１端部１９１は、主電気回路基板２に接続され、第１接続素子１９の第２端部１９２は、第２電力線１８の他端に接続されているので、第２電力線１８は、第１接続素子１９を介して、主電気回路基板２に接続されている。別の実施形態では、第２電力線１８は主電気回路基板２に直接接続され、第１接続素子１９は省略されても良い。
【００２０】
主電気回路基板２は、ケース本体３の第２壁面３２の内側壁に設置され、主電気回路基板２は電気回路基板１３に対して垂直であっても良いが、これに限定されない。
【００２１】
いくつかの実施形態では、入力接続装置１は、少なくとも１つの電流センサー２１を備え、当該少なくとも１つの電流センサー２１は、電気回路基板１３を流れる電流を検出するために、電気回路基板１３の第１側１３１および第２側１３２の少なくとも一方に設けられる。なお、電流センサー２１が電気回路基板１３の第２側１３２に設けられるのが好ましい。
【００２２】
図３は、本発明の第２実施形態における入力接続装置の構造概念図である。実施形態における入力接続装置１ａの構成要素および機能は、図１に示す入力接続装置１と同じであり、且つ、同一構成要素または機能は、同一符号で示されており、ここでは詳細を省略する。図３は、本発明の第２実施形態における入力接続装置の構造概念図である。図１および図２に示す入力接続装置１に対して、本実施形態における入力接続装置１ａの導電接続ユニット１２の第２端部１２２は、直接に電気回路基板１３に接続されており、締結部材を使用する必要はない。また、導電接続ユニット１２の第２収容空間は省略することができる。導電接続ユニット１２は、第１端部１２１と第２端部１２２とを備え、導電接続ユニット１２の第２端部１２２は、電気回路基板１３の接続パッド（図示せず）に直接接続されている。なお、導電接続ユニット１２および電気回路基板１３は単一体として一体的に形成されることが好ましい。導電接続ユニット１２の一部が絶縁筐体１１の本体１１１の中空チャネル１１２に配置されると、電気回路基板１３が絶縁筐体１１に接続される。ある実施形態では、導電接続ユニット１２の第２端部１２２は、導電性接着剤を介して電気回路基板１３に電気的に接続される。別の実施形態では、導電接続ユニット１２の第２端部１２２は、電気回路基板１３に熔着されている。
【００２３】
図４は、本発明の第３実施形態における入力接続装置の構造概念図である。本実施形態における入力接続装置１ｂの構成要素および機能は、図１に示す入力接続装置１と同じであり、且つ、同一構成要素または機能は、同一符号で示されており、ここでは詳細を省略する。図４に示すように、図１および図２に示す入力接続装置１に対して、本実施形態における入力接続装置１ｂは、第２接続素子２２をさらに備えている。第２接続素子２２は、第１電力線１６の一端に接続され、且つ第２接続素子２２は、第１端部２２１と第２端部２２２とを備える。第１端部２２１および第２端部２２２は互いに接続されており、第２接続素子２２の第１端部２２１は、電気回路基板１３に接続され、且つ、電気回路基板１３の第２側１３２に配置される。第２接続素子２２の第２端部２２２は、第１電力線１６の他端に接続されるので、第１電力線１６は、電気回路基板１３とスイッチ１７との間に接続され、電気回路基板１３の電力および信号情報をスイッチ１７に伝送することができる。
【００２４】
図５は、本発明の第４実施形態における入力接続装置の構造概念図である。本実施形態における入力接続装置１ｃの構成要素および機能は、図１に示す入力接続装置１と同じであり、且つ、同一構成要素または機能は、同一符号で示されており、ここでは詳細を省略する。図５に示すように、図１および図２に示す入力接続装置１に対して、本実施形態における入力接続装置１ｃは、複数の絶縁筐体１１と、複数の導電接続ユニット１２と、電気回路基板１３と、複数の締結部材１４と、複数の電子素子１５と、複数の第１電力線１６と、スイッチ１７と、複数の第２電力線１８と、複数の第１接続素子１９とを備えている。絶縁筐体１１の個数、導電接続ユニット１２の個数、および締結部材１４の個数は同じである。ケース本体３の第１側３１に、複数の第１孔部３１３が設けられ、電気回路基板１３には、複数の孔部１３３が設けられている。各絶縁筐体１１は、ケース本体３の第１壁面３１の対応する第１孔部３１３を貫通して固定され、各導電接続ユニット１２は、対応の絶縁筐体１１の中空チャネル１１２に設置されている。各締結部材１４は、電気回路基板１３における対応の孔部１３３を貫通し、且つ対応の導電接続ユニット１２の第２端部１２２に係合する。複数の電子素子１５は、電気回路基板１３に設けられ、各第１電力線１６の一端は、電気回路基板１３に接続され、各第１電力線１６の他端は、スイッチ１７の入力部１７３に接続されている。各第２電力線１８の一端は、スイッチ１７の出力部１７４に接続され、各第２電力線１８の他端は、主電気回路基板２に接続されている。各第１接続素子１９は、対応の第２電力線１８の他端に接続され、各第２電力線１８は、対応の第１接続素子１９を介して、主電気回路基板２に接続されている。
【００２５】
図６は、本発明の第５実施形態における入力接続装置の構造概念図である。本実施形態における入力接続装置１ｄの構成要素および機能は、図１に示す入力接続装置１と同じであり、且つ、同一構成要素または機能は、同一符号で示されており、ここでは詳細を省略する。図６に示すように、図５の入力接続装置１ｃに対して、本実施形態における入力接続装置１ｄは、複数の電気回路基板１３を備えている。入力接続装置１ｄは、２つの電気回路基板１３を備えているが、これに限定されない。また、各電気回路基板１３は、複数の孔部１３３を備えている。複数の導電接続ユニット１２のおける一部の導電接続ユニット１２は、電気回路基板１３に接続され、複数の導電接続ユニット１２の残りの部分は、導電接続ユニット１２を介して他の電気回路基板１３に接続されている。複数の第１電力線１６の一部の第１電力線１６は。電気回路基板１３に接続され、複数の第１電力線１６の残りの部分の第１電力線１６は、別の電気回路基板１３に接続されている。本実施形態における入力接続装置１ｄの構成要素および接続方法は、図５に示す入力接続装置１ｃと同じであり、ここでは詳細を省略する。
【００２６】
上述したように、本発明は、電子装置に使用される入力接続装置を提供しており、前記入力接続装置は、導電接続ユニットと電気回路基板とを備え、導電接続ユニットは、電気回路基板に直接接続されており、他に電源ケーブルを使用する必要がない。そのため、入力接続装置のコストと体積が低減されることができる。また、入力接続装置の取付および電線の整理は簡単であり、且つ入力接続装置の電磁干渉は改善することができる。
【符号の説明】
【００２７】
１ａ、１ｂ、１ｃ、１ｄ：入力接続装置
１１：絶縁筐体
１１１：本体
１１１ａ：内側表面
１１１ｂ：外側表面
１１２：中空チャネル
１１３：第１チャネル領域
１１４：第２チャネル領域
１１５：第１溝部
１１６：第１突起部
１１７：係合部
１２：導電接続ユニット
１２１：第１端部
１２２：第２端部
１２３：第２溝部
１２４：第２突起部
１２５：第２収容空間
１３：電気回路基板
１３１：第１側
１３２：第２側
１３３：孔部
１４：締結部材
１４１：第１端部
１４２：第２端部
１５：電子素子
１６：第１電力線
１７：スイッチ
１７１：第１端部
１７２：第２端部
１７３：入力部
１７４：出力部
１８：第２電力線
１９：第１接続素子
１９１：第１端部
１９２：第２端部
２：主電気回路基板
２１：電流センサー
２２：第２接続素子
２２１：第１端部
２２２：第２端部
３：ケース本体
３１：第１壁面
３１１：外側壁
３１２：内側壁
３１３：第１孔部
３１４：第２孔部
３２：第２壁面
４：電子装置
【図１】
2020184519.tif 000003
【図２】
2020184519.tif 000004
【図３】
2020184519.tif 000005
【図４】
2020184519.tif 000006
【図５】
2020184519.tif 000007
【図６】
2020184519.tif 000008